(57)【要約】      （修正有）【課題】電子デバイスの空間配置を改善することができるカードエッジコネクタを提供する。【解決手段】電子カード１を回路基板２に固定しかつ電気接続するカードエッジコネクタは、内部にスロット１２を画定する縦部１１を有する絶縁ハウジング１０と、縦部の各側から直角に延びる腕と、絶縁ハウジングの腕にそれぞれ配置された１対のカードラッチ部材とを具備する。腕の一方の側には、スロットから腕に沿って延びる支持基部１４が設けられる。腕の他方の側には案内レールが設けられる。支持基部上に電子カードを垂直方向に載置するために摺動させることにより、電子カードを固定し保持するために電子カードがスロットに挿入されるまで、１対のカードラッチ部材が水平方向に押圧される。【選択図】図３Ａ
0003173361.tif 000002
【実用新案登録請求の範囲】
【請求項１】
電子カードを回路基板に固定し且つ電気接続するカードエッジコネクタであって、
内部にスロットを画定する縦部を有する絶縁ハウジングと、前記縦部の各側から直角に延びる腕と、前記絶縁ハウジングの前記腕にそれぞれ配置された１対のカードラッチ部材とを具備し、
前記腕の一方の側には、前記スロットから前記腕に沿って延びる支持基部が設けられ、
前記腕の他方の側には案内レールが設けられ、
前記腕の上面及び下面にはそれぞれ案内溝が設けられ、
前記１対のカードラッチ部材の各々は、一方の側に案内ブロックが設けられた主本体を有し、
前記案内ブロックは前記案内レールに沿って移動可能であり、
前記案内ブロックの背後には押圧部が設けられ、
前記主本体の前端の上側及び下側の各々には、対応する案内溝内に配置されると共に該案内溝に沿って移動可能な固定部が設けられ、
前記電子カードは垂直方向に前記支持基部に載置され、次に、前記押圧部は、前記案内レールに沿って前記案内ブロックを移動させるよう押圧されて、前記電子カードが前記縦部の前記スロットに挿入されるまで前記案内溝に沿って前記固定部を移動させ、これにより、前記電子カードを固定し保持することを特徴とするカードエッジコネクタ。
【請求項２】
前記電子カードは凹部を有し、
前記主本体の他方の側には、前記凹部に対応する把持部が設けられ、
前記把持部は、前記電子カードの前記凹部に係止して該電子カードを固定するよう構成されることを特徴とする請求項１記載のカードエッジコネクタ。
【請求項３】
前記腕の一方の側には、該腕の前端から前記スロットに向かう方向に沿って延びる抵抗部が設けられ、
延期抵抗部は、前記スロットへの挿入中及び挿入完了時に、前記電子カードに当接して該電子カードが上向きになることを防止するよう構成されていることを特徴とする請求項１又は２記載のカードエッジコネクタ。
【請求項４】
前記案内溝は細長の開口であり、
前記固定部は傾斜突出部であり、
前記傾斜突出部は、前記１対のカードラッチ部材及び前記絶縁ハウジングの前記腕の組立を可能にするよう前記細長の開口に係合し、
前記固定部は、前記案内溝に沿って移動可能であることを特徴とする請求項１記載のカードエッジコネクタ。
【請求項５】
前記１対のカードラッチ部材の各々の前記主本体の後端には、前記電子カードの隣接する２側面に寄り掛かる寄り掛かり部が設けられることを特徴とする請求項１記載のカードエッジコネクタ。
【考案の詳細な説明】
【技術分野】
【０００１】
本考案は、カードエッジコネクタに関し、特に電子デバイスの空間的配置を改善し、電子カードを格納可能に挿入できるカードエッジコネクタに関する。
【背景技術】
【０００２】
代表的な電子デバイスの主回路基板は、カードの前端の電気コンタクトがモジュラ電子カード及び主回路基板を導電するようカードエッジコネクタの対応する導電端子と電気接触することができるように、様々なモジュラ電子カード用にスロット接続する異なるカードエッジコネクタを具備する。
【考案の概要】
【考案が解決しようとする課題】
【０００３】
電気カード及びカードエッジコネクタ間の従来のスロット接続は、電子カードを受容するために、カードエッジコネクタの前側に空間を確保する必要がある。また、カードエッジコネクタは一般的に電子デバイスの横側に配置されるので、電子カードの挿入に使用できる空間は限定され、電子デバイスの空間配置が非効率である。従って、当業界においては、カードエッジコネクタに対する電子カードの従来の水平挿入により生ずる限定された空間配置に対処するニーズがある。
【０００４】
本考案の目的は、電子カードを２段階で挿入するカードエッジコネクタを提供することである。
【０００５】
本考案の別の目的は、電子カードを格納可能に挿入するカードエッジコネクタを提供することである。
【０００６】
本考案のさらに別の目的は、電子デバイスの空間配置を改善することができるカードエッジコネクタを提供することである。
【課題を解決するための手段】
【０００７】
上述の目的を達成するために、本考案は、電子カードを回路基板に固定し且つ電気接続するカードエッジコネクタを提供する。このカードエッジコネクタは、内部にスロットを画定する縦部を有する絶縁ハウジングと、縦部の各側から直角に延びる腕と、絶縁ハウジングの腕にそれぞれ配置された１対のカードラッチ部材とを具備し、腕の一方の側には、スロットから腕に沿って延びる支持基部が設けられ、腕の他方の側には案内レールが設けられ、腕の上面及び下面にはそれぞれ案内溝が設けられ、１対のカードラッチ部材の各々は、一方の側に案内ブロックが設けられた主本体を有し、案内ブロックは案内レールに沿って移動可能であり、案内ブロックの背後には押圧部が設けられ、主本体の前端の上側及び下側の各々には、対応する案内溝内に配置されると共に案内溝に沿って移動可能な固定部が設けられ、電子カードは垂直方向に支持基部に載置され、次に、押圧部は、案内レールに沿って案内ブロックを移動させるよう押圧されて、電子カードが縦部のスロットに挿入されるまで案内溝に沿って固定部を移動させ、これにより、電子カードを固定し保持する。
【０００８】
好適には、電子カードは凹部を有し、主本体の他方の側には、凹部に対応する把持部が設けられる。把持部は、凹部に係止して電子カードを固定するよう構成される。
【０００９】
好適には、腕の一方の側には、腕の前端からスロットに向かう方向に沿って延びる抵抗部が設けられる。この抵抗部は、スロットへの挿入中及び挿入完了時に、電子カードに当接して電子カードが上向きになることを防止する。
【００１０】
好適には、案内溝は細長の開口であり、固定部は傾斜突出部である。この傾斜突出部は、１対のカードラッチ部材及び絶縁ハウジングの腕の組合せを可能にするよう細長の開口に係合する。また、固定部は、案内溝に沿って移動可能である。
【００１１】
好適には、１対のカードラッチ部材の各々の主本体の後端には、電子カードの隣接する２側面に寄り掛かる寄り掛かり部が設けられる。
【００１２】
本考案に係るカードエッジコネクタにおいて、絶縁ハウジングの腕内で収納可能に移動できる１対のカードラッチ部材を設けることにより、最初に１対のカードラッチ部材内に垂直方向に電子カードを配置することができる。次に、電子カードは、１対のカードラッチ部材を腕内に格納可能にする構造によって、本考案のカードエッジコネクタのスロットに水平方向に挿入される。上述の構造により、電子カードの上の空間を効果的に利用することができ、従来のカードエッジコネクタに電子カードを限定された水平方向に挿入することで生ずる限定された空間配置を改善できる。
【図面の簡単な説明】
【００１３】
【図１】本考案に係るカードエッジコネクタを示す分解斜視図である。
【図２】本考案に係るカードエッジコネクタの組立状態を示す斜視図である。
【図３Ａ】本考案に係るカードエッジコネクタ及びカードエッジコネクタに挿入された電子カードを示す分解斜視図である。
【図３Ｂ】本考案に係るカードエッジコネクタ及び電子カードを示す斜視図である。
【図３Ｃ】本考案に係るカードエッジコネクタ及びカードエッジコネクタに挿入された電子カードを示す斜視図である。
【図４Ａ】本考案の別の実施形態に係るカードエッジコネクタへの電子カードの挿入を示す断面図である。
【図４Ｂ】本考案の別の実施形態に係るカードエッジコネクタへの電子カードの挿入を示す断面図である。
【図４Ｃ】本考案の別の実施形態に係るカードエッジコネクタへの電子カードの挿入を示す断面図である。
【図４Ｄ】本考案の別の実施形態に係るカードエッジコネクタへの電子カードの挿入を示す断面図である。
【考案を実施するための形態】
【００１４】
図１は、本考案に係るカードエッジコネクタの分解斜視図である。図１を参照すると、本考案は、電子カード１を回路基板２（図３及び図４参照）に固定し且つ電気接続するためのカードエッジコネクタ１００を提供する。カードエッジコネクタ１００は、内部にスロット１２を画定する縦部１１を有する絶縁ハウジング１０と、縦部１１の各側から直角に延びる腕１３と、絶縁ハウジング１０の腕１３にそれぞれ配置された１対のカードラッチ部材２０とを具備する。腕１３の一方の側には、スロット１２から腕１３に沿って延びる支持基部１４が設けられる。腕１３の他方の側には案内レール１５が設けられる。腕１３の上面及び下面にはそれぞれ案内溝１６が設けられる。１対のカードラッチ部材２０の各々は主本体２１を有する。主本体２１の一方の側には案内レール１５に沿って移動可能な案内ブロック２２が設けられるのに対し、主本体２１の他方の側には把持部２３が設けられる。主本体２１の上側及び下側の各々には、対応する案内溝１６内に配置されると共に案内溝１６に沿って移動可能な固定部２４が設けられる。
【００１５】
図１に示されるように、主本体２１の一方の側にはさらに、ユーザが指で１対のカードラッチ部材２０を押すことができるように、案内ブロック２２の背後に配置された押圧部２５が設けられる。
【００１６】
本実施形態において、案内溝１６は細長の開口であり、固定部２４は傾斜突出部である。傾斜突出部は、１対のカードラッチ部材２０及び絶縁ハウジング１０の腕１３の組立を可能にするよう細長の開口に係合する。また、固定部２４は、案内溝１６に沿って移動可能である。
【００１７】
図１及び本考案に係る組立後のカードエッジコネクタを示す斜視図である図２を参照されたい。本考案に係るカードエッジコネクタを組み立てるために、１対のカードラッチ部材２０は、案内ブロック２２が腕１３の案内レール１５内に配置された状態で、絶縁ハウジング１０の両側の腕１３内にそれぞれ配置される。次に、案内ブロック２２は、固定部２４が案内溝１６に係合するまで、案内レール１５に沿って前方へ移動される。そして、１対のカードラッチ部材２０が腕１３内で自由に移動できるように、押圧部２５が指に押圧される。これにより、本考案に係るカードエッジコネクタ１００の組立が完了する。
【００１８】
本考案に係るカードエッジコネクタへの電子カードの挿入を示す図３Ａないし図３Ｃを参照されたい。電子カード１の各側は凹部３を有する。電子カード１を本考案に係るカードエッジコネクタ１００に挿入するために、電子カード１は最初に、凹部３が１対のカードラッチ部材２０の把持部２３に整列した状態（図３Ｂ参照）で、垂直方向に支持基部１４上に載置される。把持部２３は、電子カード１を固定するように、凹部３に係合するよう構成される。次に、押圧部２５が押され、案内レール１５に沿って案内ブロック２２を移動させると共に、電子カード１が縦部１１のスロット１１に水平方向に挿入されるまで案内溝１６に沿って固定部２４を移動させる。これにより、電子カード１を固定し保持する（図３Ｃ参照）。さらに、スロット１２への挿入中及び挿入完了時に、電子カードが上向きになることを防止するために、抵抗部２７が電子カード１に当接するよう構成される。
【００１９】
図４Ａないし図４Ｄは、本考案の別の実施形態に係るカードエッジコネクタへの電子カードの挿入を示す断面図である。本実施形態に係るカードエッジコネクタ１００’は、１対のカードラッチ部材２０’の各々の主本体２１’の後端に、図４Ｃに示されるように電子カード１の隣接する２側面に寄り掛かる寄り掛かり部２６が設けられる点、及び把持部２３を要しない点を除き、図１に示される実施形態とほぼ同様である。電子カード１が垂直方向（図４Ａ参照）に支持基部１４’上に載置されると、寄り掛かり部２６が電子カード１の隣接する２側面に寄り掛かる（図４Ｃ参照）まで、押圧部２５’が押圧され（図４Ｂ参照）、案内レール１５’に沿って案内ブロック２２’を移動させる。次に、押圧部２５’が連続的に押圧され、電子カード１が縦部１１’のスロット１２’に水平方向に挿入されるまで案内溝１６’に沿って固定部２４’を移動させる。これにより、電子カード１を固定し保持する（図４Ｄ参照）。
【００２０】
本考案に係るカードエッジコネクタにおいて、絶縁ハウジングの腕内に格納可能に移動できる１対のカードラッチ部材を設けることにより、最初に電子カードを１対のカードラッチ部材内に垂直方向に載置することができる。次に、電子カードは、１対のカードラッチ部材を腕内に格納できる構造によって、本考案のカードエッジコネクタのスロットに水平方向に挿入される。上述の構造により、電子カードの上の空間を効果的に利用することができ、従来のカードエッジコネクタに電子カードを限定された水平方向に挿入することで生ずる限定された空間配置を改善できる。
【符号の説明】
【００２１】
１      電子カード
３      凹部
１００  カードエッジコネクタ
１０    絶縁ハウジング
１１    縦部
１２    スロット
１３    腕
１４    支持基部
１５    案内レール
１６    案内溝
２０    カードラッチ部材
２１    主本体
２２    案内ブロック
２３    把持部
２４    固定部
２５    押圧部
２６    寄り掛かり部
２７    抵抗部
【図１】
0003173361.tif 000003
【図２】
0003173361.tif 000004
【図３Ａ】
0003173361.tif 000005
【図３Ｂ】
0003173361.tif 000006
【図３Ｃ】
0003173361.tif 000007
【図４Ａ】
0003173361.tif 000008
【図４Ｂ】
0003173361.tif 000009
【図４Ｃ】
0003173361.tif 000010
【図４Ｄ】
0003173361.tif 000011